(57)【要約】【課題】アームに沿って強化された衣服保持構造を有する衣服ハンガを提供する。【解決手段】ニットウェアを含む衣服用のハンガは、上方に延びるフック部材を有する本体部分と、前記本体部分から互いに反対方向外側に延びる２つのアームを有する。少なくとも１つのアームは、衣服と実質的に接触する衣服支持部面を上面に有する。前記衣服支持面は、前記上面の第１の長手方向縁部に沿って複数の固定セルを有する。衣服ハンガは、成形プラスチックハンガであってもよく、同時押し出し成形工程でノンスリップ材料から前記上面の一部分を成形することによって強化されていてもよい。【選択図】図１
2005144179.tif 000002
【特許請求の範囲】
【請求項１】
上方に延びるフック部を有する本体部分と、
前記本体部分から互いに反対方向外側に延びる２つのアームとを備え、
第１のアームは、衣服に実質的に接触する衣服支持面を上面に有するとともに、前記上面の第１の長手方向縁部に沿って第１の複数の固定セルを有することを特徴とする衣服用ハンガ。
【請求項２】
前記固定セルは凹部からなることを特徴とする請求項１に記載のハンガ。
【請求項３】
前記上面の第２の長手方向縁部に沿って第２の複数の固定セルをさらに有することを特徴とする請求項１に記載のハンガ。
【請求項４】
第２のアームは、衣服に実質的に接触する衣服支持面を上面に有するとともに、前記上面の第２の長手方向縁部に沿って第２の複数の固定セルを有することを特徴とする請求項１に記載のハンガ。
【請求項５】
前記上面は弓形表面からなることを特徴とする請求項１に記載のハンガ。
【請求項６】
前記第１のアームの前記上面の一部を形成するノンスリップ挿入物をさらに有することを特徴とする請求項１に記載のハンガ。
【請求項７】
前記ノンスリップ挿入物は前記第１のアームに埋め込まれていることを特徴とする請求項６に記載のハンガ。
【請求項８】
少なくとも前記衣服支持面が前記ノンスリップ挿入物で形成されていることを特徴とする請求項６に記載のハンガ。
【請求項９】
少なくとも前記固定セルが前記ノンスリップ挿入物で形成されていることを特徴とする請求項６に記載のハンガ。
【請求項１０】
少なくとも前記衣服支持面および前記固定セルが前記ノンスリップ挿入物で形成されていることを特徴とする請求項６に記載のハンガ。
【請求項１１】
前記ハンガは成形プラスチックハンガであって、前記ノンスリップ挿入物は同時押し出し成形工程によって前記ハンガに形成されることを特徴とする請求項６に記載のハンガ。
【請求項１２】
前記各アームは、末端部近傍に下方湾曲部を有することを特徴とする請求項１に記載のハンガ。
【請求項１３】
前記第１の複数の固定セルは、前記アームの末端部まで形成されていることを特徴とする請求項１に記載のハンガ。
【請求項１４】
前記２つのアームの下に配設された水平棒をさらに有し、前記水平棒は、衣服に実質的に接触する第２の衣服支持面を第２の上面に有するとともに、前記第２の上面の長手方向縁部に沿って第２の複数の固定セルを有することを特徴とする請求項１に記載のハンガ。
【発明の詳細な説明】
【技術分野】
【０００１】
本発明は、衣服ハンガに関し、より詳しくは、延長アームに沿って強化された衣服保持構造を有する、ニットウェア衣服の支持および陳列に特に有用な成形プラスチック衣服ハンガに属する。
【背景技術】
【０００２】
特に、衣服製造産業などの業界においては、衣服を運んだり陳列するためにプラスチックハンガが広く利用されている。このようなハンガは安価なものであることが多く、そのために衣服はハンガに吊された状態で製造業者または卸業者から小売業者へと運ばれる。一般に、このようなハンガは、安価な単品または単一成形プラスチック構造のもので、販売時に廃棄されたり、衣服製造業者に戻されたり、あるいは、衣服購入時に無料で消費者に提供されている。
【０００３】
このタイプの衣服ハンガは、衣服掛けなどの適当な支持部に吊せるようにした同材質または金属製の中央フック部を組み込んだ成形プラスチック構造として簡単に構成され、そのハンガ本体部分は、衣服を吊すのを容易にするためにフック部の根元から両側に延伸するアームを有している。特定の使用において必要な場合には、下着、スリップ、ブラジャ、複数の衣服などの種々の衣服を装着可能にするために、本体部分またはアームの両端に適当なグリップ溝またはクリップ部材を持つように形成されてもよい。
【０００４】
従来技術では、種々のしるしやロゴをつけるように成形された幾つかのハンガがある。これらのしるしやロゴは、広告を提供したりハンガに吊された衣服の出所を特定したりするために、衣服製造業者、デザイナ、または、小売会社を表している。浮き彫りされたロゴは、ロゴや広告などを表す成形凹凸表面によって提供される種々の色合いで形成される。
【０００５】
また、従来技術では、ハンガに衣服を保持するのを助けるために、肩部に沿ってパッドやゴム片を取り付けたり、パンツ棒部にノンスリップ粘着コーティングを施した、コート、ブレザー、他の重い衣服用の衣服ハンガがある。
【０００６】
バーコビツ(Berkovits)の米国特許第４，６５５，８６７号は、ハンガの肩部に接着固定された弾性材料からなるノンスリップ片を有する衣服ハンガを開示する。
【０００７】
ミクホウ(McHugh)の米国特許第４，６０６，４８２号は、ハンガに衣服を保持するのを補助するハンガの棒部上にすべり入れたノンスリップ保護材料からなる予め形成されたスリーブを有する棒タイプの衣服ハンガを開示する。
【０００８】
クレイグ(Craig)の米国特許第４，０５８，２４１号は、ハンガを保護するとともにハンガから衣服が滑り落ちるのを防止するために、衣服ハンガの周囲に設けられたきつく編んだカバーを開示する。
【０００９】
ガリソン(Garrison)の米国特許第５，０２０，７０５号は、織地に強く押しつけられたときに高い摩擦係数を有するとともに衣服の織地にしるしが付いたりくっついたりするのを防止する合成ゴムで成形された衣服グリップパッドを有する衣服把持ハンガを開示する。
【００１０】
最後に、同時射出された(coinjected)プラスチック衣服ハンガを製造する構造および方法が、すべての目的のために参照によってここに組み込まれているゴールドソン(Gouldson)等の米国特許第６，０８５，９５０号に開示されている。
【００１１】
【特許文献１】米国特許第４，６５５，８６７号公報
【特許文献２】米国特許第４，６０６，４８２号公報
【特許文献３】米国特許第４，０５８，２４１号公報
【特許文献４】米国特許第５，０２０，７０５号公報
【特許文献５】米国特許第６，０８５，９５０号公報
【発明の開示】
【発明が解決しようとする課題】
【００１２】
したがって、本発明は、上方に延びるフック部を有する本体部分と、前記本体部分から互いに反対方向外側に延びる２つのアームとを備えた衣服用ハンガを開示するものである。
【課題を解決するための手段】
【００１３】
少なくとも１つのアームは、衣服に実質的に接触する衣服支持面を上面に有する。衣服支持面は、前記上面の長手方向縁部に沿って複数の固定セル(locking cell)を有する。この衣服ハンガは、成形プラスチック衣服ハンガであってもよいし、押し出し成形工程においてノンスリップ材料で前記上面の一部分を成形することによって強化されてもよい。
【発明を実施するための最良の形態】
【００１４】
本発明の特徴、態様および利点は、後述する詳細な説明および添付図面から当業者に明らかになるであろう。添付図面では、同じ参照符号は同じ特徴部分を表している。
【００１５】
添付図面、特に図１に示されるハンガ構成を詳細に参照すると、成形プラスチック衣服ハンガ１０の正面図が示されている。ハンガ１０は、ハンガ本体１４から上方に延びている中央フック部１２を有する。ハンガ本体１４は、当業界において良く知られているように、１つ以上の衣服をつり下げるための同一平面上で両側に延びる一対のアーム１６，１８を含む。アーム１６，１８は、ハンガ本体１４から下方に延びてもよい。
【００１６】
フック部１２を強化するために、フック部１２の基部とハンガ本体１４との間の連結部近傍にまち(gusset)またはフランジ２０がハンガ本体１４と一体に成形されてもよい。これは、掛ける衣服の重量によるハンガ本体１４の平面内でのフック部１２の曲げに対する強度の補強または強化を与えることになる。図１の例示の実施形態では、フック部１２はフランジ２０でハンガ本体１４に連結された金属で形成されている。他の実施形態では、フック部１２は、フランジ２０の有無にかかわらず、ハンガ本体１４と一体成形されたプラスチックで形成されてもよい。
【００１７】
ハンガ１０のアーム１６，１８の一方または両方には、ノンスリッププラスチック挿入物２２，２４を組み込んでもよい。成形された本体部材は、図２の断面図に示すように、Ｕ字状断面アームを有する。このアームは、ハンガに構造的強度を与えるとともに、衣服の支持するものである。例示の実施形態のＵ字状断面アームは、上に向いた弓形の上面３０と横に向いた側面３２，３４とを有する。当業界において知られているもののうち例えばＩ字状、正方形−ｍ(square-m)、Ｃ字状などを含む他の断面梁形状が、本発明の範囲から逸脱しない範囲で代用されてもよい。特に、断面の上部の半径がほとんど無い実質的に平らな上面３０であって、上面３０と側面３２，３４との交点が最小半径、無視できるほどの半径、または全く丸くないものであってもよい。
【００１８】
上面３０の長手方向縁部４０，４２であって側面３２，３４との交点近傍の一方または両方に沿って、複数の固定セル３６が設けられている。例示の実施形態では、固定セル３６は、くぼんだ凹部として形成されている。あるいは、固定セル３６は、凹部に限定されない他の表面不連続部として形成されてもよい。上面３０の衣服支持面３８において、固定セル３６は、ハンガと衣服との間の摩擦面を、吊り下げられる衣服に望まれない局部的変形を形成することなく衣服を吊り下げられるように改良するものである。
【００１９】
図２に示すように、挿入物２２は、ハンガ１０にノンスリップ把持面を与えるように、上面３０に形成されている。ノンスリップ挿入物２２は、外側に延びるアーム１６に埋め込まれてよいし、または、アーム１６の上部の上に形成されてもよい。
【００２０】
同一部材には同一符号を付してある図４を参照すると、ここに説明される挿入物２２は、例えばズボンや他の衣服を支持するためにアーム１６，１８の下に設けられてもよい水平棒にも適用できることが当業者には認識されるであろう。本発明の別の実施形態において、ハンガ１０ａは、アーム１６，１８の下に水平棒５０を有する。水平棒５０は、アーム１６，１８に関して説明したのとほぼ同様に、固定セル３６を形成したノンスリップ挿入物２２を有する。ノンスリップ挿入物２２は、アーム１６，１８とは関係なく、水平棒５０に設けられてもよいことが認識されるであろう。さらに、上述したノンスリップ把持面は、ノンスリップ挿入物２２を設けることなく、アーム１６，１８または水平棒５０のそれら自体に適用可能であることが認識されるであろう。
【００２１】
例示の実施形態では、ノンスリップ面は、末端部に設けられてもよい下方湾曲部の周囲を含む、各アーム１６，１８のほぼ末端部まで延びている。実例として、ハンガ１０は成形プラスチックハンガであり、ノンスリップ挿入物２２，２４は同時押し出し成形で形成される。挿入物２２とアーム１６，１８との間の接合は、機械的接合、成形プラスチック接合、溶融接合、または、これらの組合せであってもよい。接合の種類を決定する要因には、使用されるプラスチックの化学的適合性、使用される各プラスチックの溶融温度、プラスチックがそれぞれの型のキャビティ内に射出されるときの温度、前記キャビティが維持される温度、第１プラスチックの射出、型挿入物の取り出し、および、第２プラスチックの射出の間のそれぞれの保持時間、などが含まれる。
【００２２】
プロセスのパラメータを調節することで、機械的接合、プラスチック成形接合、または、互いに混合するプラスチックの表面層を含む全体溶融接合が実現される。さらに別の実施形態では、第２の熱溶融したプラスチック材料が挿入物内に流れ込むときの機械的結合のゆがみが、機械的接合と制御された熱変形との組合せである接合をつくり出す。このような接合の組合せ形成は、２つのプラスチック材料間、特に低レベルの化学的共同作用を有する材料間のすぐれた一体性を確実にするために、圧縮力だけでなく張力やせん断力も受けることになる（肩部挿入物を有するハンガだけに限定されない）生産物にとって特に好都合である。
【００２３】
成形プラスチックハンガを製造するために成形工程で用いられるプラスチック材料には、例示のものに限定されないが、ポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル樹脂、Ｋ樹脂(K resin)、ポリビニル塩化物などのプラスチック材料が含まれ、これらの材料は顧客の要求に応じて特定の着色が施される。ノンスリップ挿入物を有する合成物ハンガを成形するときには、ポリプロピレンとポリエチレンの主要材料が、ノンスリップ部のためのエチレンビニルアセテート（ＥＶＡ）、低濃度ポリエチレン、または、熱可塑性エラスマと組み合わされてもよい。あるいは、ポリスチレン、ＡＢＳまたはＳＡＮの主要材料が要求される場合には、それらは、エチレンビニルアセテート、ＰＶＣ、熱可塑性エラスマ、または、熱可塑性ゴムと組み合わされてもよい。ＰＶＣ、ＰＣ、ＰＭＭＡまたはこれらの主要材料の１つとポリスチレンの混合物などの主要部構成物に適した他の材料は、ＥＶＡ、ＰＶＣ、熱可塑性エラストマまたは熱可塑性ゴム、および、ノンスリップ挿入物材料と共に使用されてもよい。
【００２４】
１つの好適な実施形態では、スチレンまたはポリプロピレンが、挿入物用の（これに限定されないがＫＲＡＴＯＮを含む熱可塑性ゴムなどの）柔らかい材料と共に、主要材料として使用される。別の実施形態では、より硬い材料が、これに限定されないがポリエチレン膜を有するポリエチレンを含む挿入物として使用される。
【００２５】
より詳しくは、化学的接合が要求されるとき、挿入物材料としてのＥＶＡ／ＰＰ混合物と一緒に、主要材料としてスチレンまたはポリプロピレンを用いるのが好ましい。化学的および機械的接合が要求されるとき、挿入物材料としてのスチレンゴムと一緒に、主要材料としてスチレンを用いるのが好ましい。機械的接合が要求されるとき、挿入物材料としてのポリエチレンと一緒に、主要材料としてポリプロピレンを用いるのが好ましい。
【００２６】
本発明の特定の好適な実施形態では、機械的結合と制御された熱変形との組合せが、第１と第２のプラスチック材料を接合する。機械的接合は、一連の連結ボタン穴接合によって達成される。本発明の合成物ハンガを成形するために、特定の適合性を有する化学的に利用可能な装置が使用されてもよい。
【００２７】
例示の実施形態において考えられる第１の材料は、ダウスチレン等級(Dow styrene grades)６９３および４７８の組合せである。第２の材料は、ＫＲＡＴＯＮの商品名でシェルオイル社から入手可能なＤ等級材料である。ＫＲＡＴＯＮの溶融温度は、華氏約６００度±５０度である。
【００２８】
上述の説明から、本発明が、部材の特定の構造態様によってその適用を変えながら、最小限の労力と費用を必要とするだけの簡単な２段階の工程による同時射出成形で好ましくは製造される極めて簡単な衣服ハンガー構造を有することが容易に明らかになる。ハンガの肩部にノンスリップ片を付けるのに、コストが高くなる手作業を必要としない。すべては、単一の成形工程で完成する。
【００２９】
ここで図示および説明されたものは、本発明の単なる例示の実施形態である。これらの説明は、本発明の範囲の非限定的な実例を意味するものである。当業者は、本発明の精神または範囲から逸脱することなく、形状または細部における種々の改良および変形を容易になし得ることを認識するであろう。したがって、ここに説明される形状および細部、または、添付の特許請求の範囲によって画定される本発明の全体より狭いものに本発明が限定されることを意図していない。
【図面の簡単な説明】
【００３０】
【図１】本発明の例示の実施形態のハンガの正面図。
【図２】線２−２で切った図１のハンガの断面図。
【図３】図１の衣服ハンガの斜視図。
【図４】本発明の別の例示の実施形態のハンガの正面図。
【符号の説明】
【００３１】
１０…ハンガ
１２…フック部
１４…ハンガ本体
１６，１８…アーム
２２，２４…ノンスリップ挿入物
３０…上面
３６…固定セル
３８…衣服支持面
【図１】
2005144179.tif 000003
【図２】
2005144179.tif 000004
【図３】
2005144179.tif 000005
【図４】
2005144179.tif 000006
【手続補正書】
【提出日】平成16年12月24日(2004.12.24)
【手続補正１】
【補正対象書類名】図面
【補正対象項目名】全図
【補正方法】変更
【補正の内容】
【図１】
2005144179.tif 000007
【図２】
2005144179.tif 000008
【図３】
2005144179.tif 000009
【図４】
2005144179.tif 000010
【外国語明細書】
2005144179.tif 000011
2005144179.tif 000012
2005144179.tif 000013
2005144179.tif 000014
2005144179.tif 000015
2005144179.tif 000016
2005144179.tif 000017
2005144179.tif 000018
2005144179.tif 000019
2005144179.tif 000020
2005144179.tif 000021
2005144179.tif 000022
2005144179.tif 000023
2005144179.tif 000024
2005144179.tif 000025
2005144179.tif 000026
2005144179.tif 000027
2005144179.tif 000028
2005144179.tif 000029
2005144179.tif 000030
2005144179.tif 000031